(57)【要約】【課題】コンパクトに保管することが容易であり且つ比較的使用感に優れた布団を提供することを課題とする。【解決手段】中綿と、該中綿を包む側地とを有する布団本体を備え、前記布団本体は、幅方向に沿って延びるように形成されたキルティング部を複数有し、隣り合う前記キルティング部の間隔が８〜４０ｃｍである、布団。【選択図】図１
0003228478.tif 000002
【実用新案登録請求の範囲】
【請求項１】
中綿と、該中綿を包む側地とを有する布団本体を備え、
前記布団本体は、幅方向に沿って延びるように形成されたキルティング部を複数有し、
隣り合う前記キルティング部の間隔が８〜４０ｃｍである、布団。
【請求項２】
前記中綿がポリエステル系樹脂によって構成されている、請求項１に記載の布団。
【請求項３】
隣り合う前記キルティング部の間に配された前記中綿の充填量が、敷布団の場合１００〜１，０００ｇ／ｍ２であり、掛布団の場合５０〜８００ｇ／ｍ２である、請求項１又は２に記載の布団。
【請求項４】
前記側地がポリプロピレン系樹脂によって構成されている、請求項１乃至３のいずれか１項に記載の布団。
【請求項５】
前記側地が前記ポリエステル系樹脂によって構成されている、請求項２に記載の布団。
【請求項６】
前記側地が不織布によって構成されている、請求項１乃至５のいずれか１項に記載の布団。
【請求項７】
前記側地がメッシュ状である、請求項１乃至６のいずれか１項に記載の布団。
【請求項８】
前記中綿又は前記側地が、抗菌剤、抗カビ剤、抗ウイルス剤、防虫剤、又は消臭剤のうちの１種以上を含む、請求項１乃至７のいずれか１項に記載の布団。
【請求項９】
請求項１乃至８のいずれか１項に記載の布団と、該布団を収容する袋とを備え、
前記布団が、前記キルティング部に並行する軸まわりにロール状にされた状態で前記袋に収容されている、布団包装体。
【請求項１０】
前記布団が、敷布団及び掛布団を含み、
前記敷布団及び前記掛布団が積層されて前記ロール状にされた状態で前記袋に収容されている、請求項９に記載の布団包装体。
【請求項１１】
さらに枕が前記袋に収容されている、請求項９又は１０に記載の布団包装体。
【請求項１２】
前記枕は、枕カバーと、該枕カバー内に充填された詰め物とを有し、
前記枕カバー及び／又は前記詰め物が、抗菌剤、抗カビ剤、抗ウイルス剤、防虫剤、又は消臭剤のうちの１種以上を含む、請求項１１に記載の布団包装体。
【考案の詳細な説明】
【技術分野】
【０００１】
本考案は、布団及び布団包装体に関する。
【背景技術】
【０００２】
従来、折り畳まれるなどされてコンパクトな状態で保管することが可能な布団の提供が望まれている。
【０００３】
例えば、特許文献１では、中綿と、該中綿を包む側地とを有する布団本体を備え、前記布団本体が、幅方向に沿って延びるように形成された３つのキルティング部及び長さ方向に沿って延びるように形成された２つのキルティング部を有する布団が提案されている。かかる布団は、布団本体が上記のような複数のキルティング部を有していることによって、コンパクトな直方体状に折り畳まれ易くなっている。
【先行技術文献】
【特許文献】
【０００４】
【特許文献１】実用新案登録第３２２６４９２号明細書
【考案の概要】
【考案が解決しようとする課題】
【０００５】
ところで、昨今では、さらにコンパクトに保管可能な布団の提供が望まれている。例えば、自治体、病院、及び企業などにおいては、感染症や自然災害などに起因して患者や帰宅困難者などが急増するような状況に対応するために、布団を備蓄しておくという気運が高まっているが、十分な量の布団を備蓄するためのスペースには限りがある場合が多いため、上記のような布団の提供が望まれている。
【０００６】
一方、コンパクトに保管することのみが追求されると、寝心地などの使用感が悪くなるおそれがある。例えば、特許文献１記載の布団がさらにコンパクトに折り畳まれ易くなるように前記キルティング部の数を増やすことが考えられるが、単に該キルティング部の数を増やすだけでは、寝心地などの使用感が悪くなるおそれがある。
【０００７】
そこで、本考案は、上記事情に鑑み、コンパクトに保管することが容易であり且つ比較的使用感に優れた布団を提供することを課題とする。
【課題を解決するための手段】
【０００８】
本考案に係る布団は、
中綿と、該中綿を包む側地とを有する布団本体を備え、
前記布団本体は、幅方向に沿って延びるように形成されたキルティング部を複数有し、
隣り合う前記キルティング部の間隔が８〜４０ｃｍである。
【０００９】
斯かる構成によれば、幅方向に沿って延びる各キルティング部の間隔が４０ｃｍ以下であることによって、折り畳みやすくなり、例えば、キルティング部に並行する軸まわりにおいてロール状にされ易くなり、コンパクトに保管することが容易になる。また、該間隔が８ｃｍ以上であることによって、キルティング部の形成に起因する底付き感が低減されるため、比較的使用感に優れたものとなる。
【００１０】
また、本考案に係る布団は、好ましくは、前記中綿がポリエステル系樹脂によって構成されている。
【００１１】
斯かる構成によれば、中綿がポリエステル系樹脂によって構成されていることで、中綿が圧縮されにくくなり、より使用感に優れたものとなる。
【００１２】
また、本考案に係る布団は、好ましくは、隣り合う前記キルティング部の間に配された前記中綿の充填量が、敷布団の場合１００〜１，０００ｇ／ｍ２であり、掛布団の場合５０〜８００ｇ／ｍ２である。
【００１３】
斯かる構成によれば、中綿の充填量が敷布団の場合１００〜１，０００ｇ／ｍ２であり、掛布団の場合５０〜８００ｇ／ｍ２であることによって、さらに、コンパクトに保管することが容易になり且つ使用感に優れたものとなる。
【００１４】
また、本考案に係る布団は、好ましくは、前記側地がポリプロピレン系樹脂によって構成されている。
【００１５】
斯かる構成によれば、側地がポリプロピレン系樹脂によって構成されていることで、より保温性に優れたものとなる。
【００１６】
また、本考案に係る布団は、前記中綿がポリエステル系樹脂によって構成されている場合には、前記側地が前記ポリエステル系樹脂によって構成されていることが好ましい。
【００１７】
斯かる構成によれば、中綿及び側地がポリエステル系樹脂によって構成されていることによって、リサイクルが容易なものとなる。
【００１８】
また、本考案に係る布団は、好ましくは、前記側地が不織布によって構成されている。
【００１９】
斯かる構成によれば、側地が不織布によって構成されることで、比較的安価に製造することができる。
【００２０】
また、本考案に係る布団は、好ましくは、前記側地がメッシュ状である。
【００２１】
斯かる構成によれば、側地がメッシュ状であることによって、コンパクトにされる際に布団本体内の空気が外部に排出され易くなるため、さらにコンパクトにされ易くなる。
【００２２】
また、本考案に係る布団は、好ましくは、前記中綿又は前記側地が、抗菌剤、抗カビ剤、抗ウイルス剤、防虫剤、又は消臭剤のうちの１種以上を含む。
【００２３】
斯かる構成によれば、抗菌性などの性能に優れたものとなる。
【００２４】
また、本考案に係る布団包装体は、
上記いずれかの布団と、該布団を収容する袋とを備え、
前記布団が、前記キルティング部に並行する軸まわりにロール状にされた状態で前記袋に収容されている。
【００２５】
斯かる構成によれば、布団がロール状にされた状態で袋に収容されていることによって、コンパクトに保管することが容易なものとなる。
【００２６】
また、本考案に係る布団包装体は、好ましくは、
前記布団が、敷布団及び掛布団を含み、
前記敷布団及び前記掛布団が積層されて前記ロール状にされた状態で前記袋に収容されている。
【００２７】
斯かる構成によれば、布団が敷布団と掛布団とを含む場合であってもこれらが前記ロール状にされることでコンパクトなものとなり、また、袋に収容された収容物が布団セットとして好適なものとなる。
【００２８】
また、本考案に係る布団包装体は、好ましくは、さらに枕が前記袋に収容されている。
【００２９】
斯かる構成によれば、枕が袋にさらに収容されていることによって、袋に収容された収容物が布団セットとして好適なものとなる。
【００３０】
また、本考案に係る布団包装体は、好ましくは、
前記枕は、枕カバーと、該枕カバー内に充填された詰め物とを有し、
前記枕カバー及び／又は前記詰め物が、抗菌剤、抗カビ剤、抗ウイルス剤、防虫剤、又は消臭剤のうちの１種以上を含む。
【００３１】
斯かる構成によれば、枕カバー及び／又は詰め物が、抗菌剤、抗カビ剤、抗ウイルス剤、防虫剤、又は消臭剤のうちの１種以上を含むことによって、抗菌性などの性能に優れた枕を備えたものとなる。
【考案の効果】
【００３２】
上記の通り、本考案によれば、コンパクトに保管することが容易であり且つ使用感に優れた布団を提供することができる。
【図面の簡単な説明】
【００３３】
【図１】図１は、一実施形態に係る布団の概略斜視図である。
【図２】図２は、図１の布団が備える側地のＩＩの部分の拡大図である。
【図３】図３は、図１の実施形態に係る布団と、該布団を収容する袋とを備えた布団包装体の概略斜視図である。
【図４】図４は、布団包装体が備え得る枕を示す概略斜視図である。
【考案を実施するための形態】
【００３４】
以下、図面を参照しつつ、本考案の一実施形態に係る布団について説明する。
【００３５】
本実施形態に係る布団１は、図１に示されるように、平面視において矩形状であり、中綿１１と、中綿１１を包む側地１２とを有する布団本体１０を備え、布団本体１０は、幅方向に沿って延びるように形成されたキルティング部１３を複数有している。
【００３６】
本実施形態の布団１は、側地１２として対をなす２枚の側地シートを含み、各側地シートの間に中綿１１が配された状態で各側地シートの端縁部が糸により縫合されることによって製造されている。すなわち、本実施形態の布団１は、側地シートどうしを縫合する環状の縫合部１４を備えている。この他、布団１は、平面視において矩形状の１枚の側地シートが２つ折りにされ且つ該側地シートの内側に中綿１１が配された状態で、３つの端縁部どうしが糸により縫合されることによって製造されてもよい。これによって、布団１は、通常の使用によっては、中綿１１が側地１２の外側に排出されないようになっており、言い換えれば、側地１２に切り込みなどによって開口が形成されない限りは、中綿１１が外側に排出されないようになっている。
【００３７】
布団１は、敷布団として用いられてもよく、掛布団として用いられてもよい。この場合、敷布団と掛布団とを備えた布団セットにおいて、該敷布団及び該掛布団に布団１が用いられてもよい。また、該布団セットは、図４に示されるような枕２１をさらに備えることが好ましい。
【００３８】
布団本体１０の平面視における寸法は、通常、敷布団の場合には幅６０〜１８０ｃｍ、長さ１９０〜２２０ｃｍであり、掛布団の場合には幅１００〜２６０ｃｍ、長さ１９０〜２２０ｃｍである。
【００３９】
本実施形態の中綿１１は、ポリエステル系繊維によって構成されている。前記ポリエステル系繊維としては、ポリエチレンテレフタレート系繊維が好ましい。これによって、布団本体１０が使用者の荷重により圧縮されにくくなり、寝心地などの使用感に優れたものとなる。
【００４０】
中綿１１には、前記ポリエステル系繊維以外の繊維が含まれていてもよいが、中綿１１の全体質量に対する前記ポリエステル系繊維の含有量は、９０質量％以上であることが好ましく、９５質量％以上であることがより好ましい。
【００４１】
各キルティング部１３によって区画形成された１つの空間あたりの中綿１１の充填量は、敷布団の場合には１００〜１，０００ｇ／ｍ２であることが好ましく、掛布団の場合には５０〜８００ｇ／ｍ２であることが好ましい。なお、前記充填量は、布団本体１０が有する中綿の総質量を測定し、この総質量を側地の面積（側地が布団１を構成した際の片面の面積）で割った値を意味するものとする。また、側地の面積は、フローリング上に布団１を広げ、１時間経過後、平面視において測定される値を採用するものとする。
【００４２】
本実施形態の側地１２は、ポリプロピレン系繊維により構成された不織布によって構成されている。側地１２には、前記ポリプロピレン系繊維以外の繊維が含まれていてもよいが、側地１２の全体質量に対する前記ポリプロピレン系繊維の含有量は、９０質量％以上であることが好ましく、９５質量％以上であることがより好ましい。
【００４３】
側地１２は、前記ポリエステル系繊維により構成された不織布によって構成されていてもよい。この場合、特に、中綿１１を構成する繊維が前記ポリエステル系繊維であると、側地１２及び中綿１１それぞれを構成する繊維の樹脂材料が統一されることとなるため、リサイクルすることが容易になる。
【００４４】
側地１２を構成する前記不織布の目付は、２０〜１４０ｇ／ｍ２であることが好ましい。また、該不織布の厚みは、０．０５〜１．５ｍｍであることが好ましい。なお、前記不織布の目付及び厚みは、ＪＩＳ  Ｌ  １９１３：２０１０に規定された一般不織布試験方法によって測定されるものとする。
【００４５】
図２に示されるように、側地１２を構成する前記不織布は、繊維密度の比較的高い高密度領域１２１と、繊維密度の比較的低い低密度領域１２２とを有している。高密度領域１２１は格子状に形成されており、より具体的には、平面視において任意の一方向に沿って延びるように形成された複数の第１線状部１２１１と、第１線状部１２１１に交差する方向に沿って延びるように形成された複数の第２線状部１２１２とを有している。そして、第１線状部１２１１及び第２線状部１２１２の内側に低密度領域１２２が形成されている。このように、高密度領域１２１が形成されることによって布団本体１０の強度が維持されつつ、低密度領域１２２が形成されることによって布団本体１０内の空気が外部に排出され易くなり布団１がコンパクトにされ易くなる。
【００４６】
側地１２を構成する前記不織布は、メッシュ状であってもよい。言い換えれば、側地１２の低密度領域１２２には繊維が配されずに目開きが形成されていてもよい。これによって、さらに、布団本体１０内の空気が外部に排出され易くなる。
【００４７】
中綿１１及び／又は側地１２は、抗菌材、抗カビ剤、抗ウイルス剤、防虫剤、又は消臭剤のうちの１種以上を含むことが好ましい。これらの薬剤としては、従来公知のものを使用することができる。
【００４８】
前記抗菌剤としては、例えば、イミダゾール系抗菌剤、トリアゾール系抗菌剤、チアゾリン系抗菌剤、ピリジン系抗菌剤、アルデヒド系抗菌剤、カルボン酸系抗菌剤、カーバメイト系抗菌剤、スルファミド系抗菌剤、フェノール系抗菌剤、フタルイミド系抗菌剤、キノリン系抗菌剤、チアゾール系抗菌剤などの有機系抗菌剤や、銀、亜鉛、又は銅などの金属を含む無機系抗菌剤が挙げられる。
【００４９】
前記抗カビ剤としては、前記抗菌剤のうち、真菌（カビ）の生育や繁殖も阻止する機能を有する薬剤が挙げられる。
【００５０】
前記抗ウイルス剤は、ウイルスが有するタンパク質を変性させたり分解したりする薬剤であり、例えば、第４級アンモニウム塩が好ましく用いられる。
【００５１】
前記防虫剤としては、例えば、トランスフルトリンやメトフルトリンなどのピレスロイド系化合物やディート、イカリジンなどが挙げられる。
【００５２】
前記消臭剤としては、汗臭、加齢臭、腐敗臭などの原因となるアンモニア、酢酸、イソ吉草酸、ノネナール、硫化水素などに対する消臭機能を有しているものが好ましく、例えば、活性アルミナ、シリカゲル、活性白土、ゼオライト、活性酸化亜鉛等を主成分とする無機系の極微細孔を有する吸着剤、フマル酸、鉄アスコルビン酸化合物、金属フタロシアニン系化合物、金属ポルフィリン系化合物、フラボノイド系化合物、アミノ酸系化合物、タンニン化合物、糖類等の有機系消臭剤が挙げられる。
【００５３】
本実施形態の複数のキルティング部１３は、幅方向に沿って延びるように且つ互いに並行するように形成されている。また、隣り合うキルティング部３０の間隔が、８〜４０ｃｍであることが重要である。敷布団の場合には、該間隔は８〜１３ｃｍであることが好ましく、掛布団の場合には、該間隔は１３〜２５ｃｍであることが好ましい。また、本実施形態では、各間隔が等間隔となるように複数のキルティング部１３が形成されている。これによって、キルティング部１３が折り畳み線のように作用することで、布団１がキルティング部１３を介して折り畳まれ易くなり、例えば、布団１がキルティング部１３に沿う軸まわりにおいてロール状にされ易くなる。キルティング部１３は、布団本体１０の幅方向に沿ってのみ形成されていることが好ましく、言い換えれば、布団本体１０の長さ方向に沿っては形成されていないことが好ましい。これによって、コンパクトな保管が容易になるとともに、布団本体１０の幅方向全体にわたって使用感に優れたものとなる。なお、隣り合うキルティング部３０の間隔は、フローリング上に布団１を広げ、１時間経過後に平面視における各間隔の測定を行い、これらを算術平均することにより求めることができる。
【００５４】
複数のキルティング部１３は、布団１がロール状にされ易くなるように、布団本体１０を長さ方向に１５〜２０分割するように形成されていることが好ましい。また、上記した通常の布団本体１０の長さであれば、布団本体１０をキルティング部１３により５〜２８分割、好ましくは１０〜１５分割されることで、キルティング部１３どうしの間隔が、前記のような大きさとなり得る。
【００５５】
上記のように構成された布団１は、コンパクトに保管することが容易であるため、大量に（例えば１００以上若しくは１，０００以上、又は、布団セットの場合には１００組以上若しくは１，０００組以上）保管される用途に好適である。このような用途としては、例えば、感染症や自然災害などに起因して急増する患者や帰宅困難者などのための寝具が挙げられる。また、布団１は比較的安価に製造され得るため、また、布団１を介した感染症の拡大を抑制する上で、布団１は１人の使用者による洗濯なしの使用を経て使い捨てられてもよい。すなわち、布団１を含む前記寝具は、ディスポーザブル対応であってもよい。一方で、中綿１１又は側地１２が抗ウイルス剤を含む場合には、布団１を含む寝具は、一使用者の使用後に別の使用者により使用されることによって繰り返し使用されてもよい。すなわち、布団１を含む寝具は、リユースされてもよい。さらに、使い捨てられる際には、廃棄物としての布団１がコンパクトにされ得るため、その廃棄処分がし易くなる。また、中綿１１が前記ポリエステル系樹脂で構成され、且つ、側地１２が前記ポリプロピレン系樹脂で構成されている場合、これら材料の物性の差（例えば浮力の差）を利用した分離が比較的容易であるため、これらの材料をリサイクルして使用することが容易になる。
【００５６】
次に、布団１が包装された布団包装体２について説明する。
【００５７】
布団包装体２は、図３に示されるように、布団１と、布団１を収容する樹脂シートから構成された袋２０とを備えており、布団１がキルティング部１３に並行する軸まわりにおいてロール状にされた状態で袋２０に収容されている。この場合、袋２０に収容される布団１は、敷布団又は掛布団のいずれか一方のみであってもよい。
【００５８】
また、布団包装体２は、敷布団としての布団１と、掛布団としての布団１とが互いに積層された状態でロール状にされたロール体が、袋２０に収容されていてもよい。この場合、それぞれの布団を幅方向に２等分する中心線どうしが重なるように積層された状態でロール状にされることが好ましい。また、中心線どうしが重なるように積層される場合、一方の全てが他方に重なるように積層されていてもよく、一方の一部分と他方の一部分とが重なるように積層されていてもよい。これによって、前記のような布団セットであっても、コンパクトに保管することが容易になる。また、敷布団及び掛布団の両方を含む場合、一方の布団１がロール状にされて軸体を形成し、他方の布団１が該軸体を巻回するようにロール状にされてもよい。例えば、前記敷布団の方が前記掛布団よりもキルティング部１３どうしの間隔が小さい場合には、該間隔が小さい方がより硬い芯体としての前記軸体を形成し易いことから、前記敷布団としての布団１がロール状にされて前記軸体を形成し、前記掛布団としての布団１が該軸体を巻回するようにロール状にされることが好ましい。
【００５９】
本実施形態の袋２０は、布団１を収容する袋本体２０１と、袋本体２０１の一端縁から外方に延在するように形成された矩形状の延在部２０２とを有している。袋本体２０１は、ロール状にされた布団１の大きさに対応する収容空間を内部に有するように形成されている。延在部２０２は、中央部に開口を有しており、これによって、布団包装体２は、持ち運びが容易なものとなっている。
【００６０】
本実施形態の袋２０は、布団１が未収容の状態での平面視において、矩形状である。この状態での袋２０の大きさは、幅３〜１００ｃｍ、長さ１２〜３００ｃｍであることが好ましい。このような大きさの袋２０は、布団１が収容される際、布団１がキルティング部１３に並行する軸まわりにロール状にされて収容されるのに適したものとなる。また、布団１の収容の態様はこれに限らず、例えば、布団１がその幅方向又は／及び長さ方向にも縮められて袋２０に収容されていてもよい。この具体例として、布団１が、折り目が幅方向又は／及び長さ方向に沿って形成されるように折り畳まれて（例えば３つ折り又は４つ折りされて）、キルティング部１３に並行する軸まわりにロール状にされて収容されていてもよい。さらに、布団１を収容した状態で袋２０内が減圧状態にされてもよい。これによって、袋２０の長さをさらに短くでき、延いては、布団包装体２の長さを更に短くすることができ、布団包装体２が更にコンパクトで且つ収容量が大きなものとなるので、より好ましい。この場合、袋２０の大きさは、幅３〜８０ｃｍ、長さ１２〜１２０ｃｍの範囲内であってもよい。
【００６１】
また、布団包装体２は、袋２０に枕２１が収容されていてもよい。図４に示されるように、枕２１は、枕カバー２１１と、枕カバー２１１内に充填された詰め物２１２とを有している。枕２１は、図４（ａ）に示されるように、比較的高さの低い平坦状であってもよく、図４（ｂ）に示されるように、比較的高さの高い円筒状であってもよい。
【００６２】
本実施形態の枕２１は、枕カバー２１１が側地１２と同じ材料で構成されている。より具体的には、枕カバー２１１は、上記のような高密度領域及び低密度領域を有する前記不織布、又は、メッシュ状の前記不織布で構成されており、これによって、枕２１は、枕カバー２１１内の空気が外部に排出され易くなっている。
【００６３】
また、本実施形態の枕２１は、詰め物２１２が中綿１１と同じ材料で構成されている。詰め物２１２としての中綿の充填量は、１つの枕２１あたり３０〜１，８００ｇであることが好ましい。
【００６４】
さらに、枕２１は、枕カバー２１１及び／又は詰め物２１２が、前記抗菌剤、前記抗カビ剤、前記抗ウイルス剤、前記防虫剤、又は前記消臭剤のうちの１種以上を含むことが好ましい。
【００６５】
以上のように、例示として実施形態を示したが、本考案に係る布団及び布団包装体は、上記実施形態の構成に限定されるものではない。また、本考案に係る布団及び布団包装体は、上記作用効果により限定されるものでもない。本考案に係る布団及び布団包装体は、本考案の要旨を逸脱しない範囲で種々の変更が可能である。
【符号の説明】
【００６６】
１：布団、
１０：布団本体、
１１：中綿、
１２：側地、１２１：高密度領域、１２２：低密度領域、
１２１１：第１線状部、１２１２：第２線状部、
１３：キルティング部、
１４：縫合部、
２：布団包装体、
２０：袋、２０１：袋本体、２０２：延在部、
２１：枕、２１１：枕カバー、２１２：詰め物
【図１】
0003228478.tif 000003
【図２】
0003228478.tif 000004
【図３】
0003228478.tif 000005
【図４】
0003228478.tif 000006